Podtech/llm-jp-corpus-v4-ja_patent huggingface dataset:
(57)【要約】【課題】  本考案は流動性の食品を飲用する場合、容器を強く押すことにより容器の口から飲用物が押し出されてくる。その時、容器の口に自在に曲がるストローを容器の口に固定することにより内容物を飲用者の口に容易に移送することができる。特に寝たきり老人等の介護には飲用させやすく安全便利であるだけでなく安価であり使い捨てができ衛生的であることも課題とした。【解決手段】  本考案はジャバラのついた自在に動くストローを容器に蓋合させるためにストローと容器に接合できるネジを付けるか溶着または接着する。又は、容器に自在に動くストローを一体成型する、ストロー吸い口には容器の内容物の漏出を防ぐため溶着か接着又はストロー先端にキャップ及びピンチコック等のストッパーを取付けることが出来る。【選択図】図３
0003124328.tif 000002
【実用新案登録請求の範囲】
【請求項１】
飲料容器にジャバラの付いたストロー状に成型した吸飲部をもつ容器のフタをネジ又は接着か溶着をして使用する飲料用具。
【請求項２】
請求項１の容器のフタが容器と一体成型された飲料用具。
【請求項３】
請求項１、のストロー先端の吸飲部分を溶着や接着又は、先端にストッパー等を付けて使用することのできる飲料用具。
【考案の詳細な説明】
【技術分野】
【０００１】  本考案は流動食を入れた容器の内容物をストローを通して押し出す改良技術。
【背景技術】
【０００２】  従来の方式では流動性食品を飲用するには不向きであった。
【考案の開示】
【考案が解決しようとする課題】
【０００３】  容器中の流動性食品を食べるときは容器を押して、容器内の食品を口の中にいれる。従来は容器の口に直接口をつけて使用しているが、容器の口の形状が自在に動かないため寝たきり老人等に介護人が飲用させるのに不便であった。
【考案が解決する手段】
【０００４】自在に動くジャバラのついたストロー付きフタを容器に取り付ける。容器に圧力を加えてもストローは容器の口から外れることなく容器の内容物がストローの吸い口から取り出せる用具。
【考案の効果】
【０００５】  寝たきりの人に水分の補給をするためには水をそのまま、飲ませると気道に入り咽るため飲ませにくい。そのためにゼリー状にして水分や栄養補給食品を飲ませる事により気道に入るのを防いでいる。一方本考案のジャバラのついたストロー蓋を、例えばパウチパックの食品容器等に取り付けることによって吸い口が自在に動くため介護人は楽に飲用させることができる。
【考案の適用範囲】
【０００６】  溶液及びゲル化した溶液を入れた容器から規定量の内容物を押し出す。内容物を押し出した分だけ容器の内容積が狭くなるタイプの容器全般に適用できる。
【考案を実施するための形態】
【０００７】  図面の図１はこの考案のストロー断面図で符号１はストロー、符号２はストローのジャバラ部分で自在に曲がる、符号３は一般に市販されている容器に固定して取り付けるために本件ではネジ状になっている。
【０００８】  図２は一般に市販されているポリ袋製、アルミ袋製等のパウチパックで、袋のキャップを取り除いた側面図で符号４は容器のキャップをはずしたネジ図。
【０００９】  図３は容器に本考案の自在ストローを取付けた外形斜視図。
【０００１０】  図４はストロー吸い口部分符号９を容器の内容物が漏出しないように接着または圧着し使用時に切り取って使える様にした一例で、この部分にキャップ又はピンチコックを取りつけて漏出を防ぐこともできる。
【０００１１】  図５はパウチパックに本考案のストローを取りつけた実施例でパウチパックを手で圧力を加えて押し出すと流動性の食品は符号７より出てくる。符号８の部分はパウチパックに一体成型することもできるし接着または溶着することもできる。
【図面の簡単な説明】
【０００１２】
【図１】  容器に取付ける本考案の自在ストロー用具の断面図。
【図２】  本考案の自在ストローを取り付けるポリ袋、アルミ袋容器の縁をパウチ接着された市販のパウチパックの側面図。
【図３】  本考案の容器取付け式自在ストローの斜視図。
【図４】  容器取付け用自在ストローの斜視図でストローの吸い口部分を溶着した図。
【図５】  本考案の自在ストローをパウチパックに付けた実施例の斜視図。
【符号の説明】
【０００１３】    １、  ストロー筒状の部分
２、  ストロージャバラ部分
３、  ストローを容器に取り付けるネジ部分
４、  パウチパックのネジ接合部分
５、  パウチパック
６、  パウチパックの接合された部分
７、  ストロー吸い口
８、  ストローとパウチパックの接合部分の外縁
９、  ストロー吸い口を溶着した部分
【図１】
0003124328.tif 000003
【図２】
0003124328.tif 000004
【図３】
0003124328.tif 000005
【図４】
0003124328.tif 000006
【図５】
0003124328.tif 000007
(57)【要約】      （修正有）【課題】椅子に座って膝掛けを掛けた時に膝裏からふくらはぎにかけて、圧迫感がなく保温でき、離着席が容易にできることと、一年中使用できるクッションの提供。【解決手段】膝裏掛け付クッションセットは、略正角形のクッション部３と同一形状の膝裏掛け部本体４がそれぞれの一辺で固定された膝裏掛け付クッション２を広げた状態の長尺辺と一辺の長さが前記クッション部３の一辺の長さの２倍の長さである一対の略四角形の膝掛け布片５Ａ、５Ｂの長尺辺がそれぞれ接合できる構造である。【選択図】図３
0003124358.tif 000002
【実用新案登録請求の範囲】
【請求項１】
略正方形のクッション部と同一形状の膝裏掛け部本体がそれぞれの一辺で固定された膝裏掛け付クッションと、一辺の長さが前記クッション部の一辺の長さの２倍の長さである一対の略四角形の膝掛け布片とから構成される膝裏掛け付クッションセット
【考案の詳細な説明】
【技術分野】
【０００１】  本考案は椅子に座った時にふくらはぎから膝を包み込むことができる膝裏掛けが付いたクッションである。
【背景技術】
【０００２】  従来このような足の膝裏を包み込むようなものはなく、冬など椅子に座った時に寒ければ膝掛けを膝下に巻き込んで使用していた。
【考案の開示】
【考案が解決しようとする課題】
【０００３】  椅子に座って膝掛けを掛けた時に、ふくらはぎが寒い場合、膝掛けを膝下に巻き込むと圧迫感がある。さらに、離席する回数が多くなると膝掛けの使用が面倒臭くなる。また、見た目も見苦しい。この考案はこのような問題点を解決するものである。
【課題を解決するための手段】
【０００４】  略正方形のクッション部と同一形状の膝裏掛け部本体がそれぞれの一辺で固定された膝裏掛け付クッションと、一辺の長さが前記クッション部の一辺の長さの２倍の長さである一対の略四角形の膝掛け布片とから構成される膝裏掛け付クッションセット
【考案の効果】
【０００５】  本考案の膝裏掛け付クッションセットは、足のふくらはぎ側から膝を包み込む構造なので圧迫感がなく、見栄えもよく、椅子への、離着席が容易である。さらに膝掛け布片は取外せるため、折畳んでクッションとしても使用可能であり便利である。【０００６】  この考案の構成について説明する。本考案は、図１のように略正方形のクッション部３と、同一形状の膝裏掛け部本体４がそれぞれの一辺で固定された膝裏掛け付クッション２と、一対の略四角形の膝掛け布片５Ａ，５Ｂとから構成される。【０００７】  クッション部３の一辺には図１のように、ジッパー９が設けられており、スライダー１０を移動することにより、内部にクッションを挿入できるようになっている。ジッパー９の両側には、２本組の止め紐７Ａ，７Ｂが設けられている。【０００８】  膝裏掛け部本体４は一枚の保温効果のある布状の部材であり、一辺の両側には紐製のループ８Ａ，８Ｂが設けられている。【０００９】  膝裏掛け付クッション２の側面外周には、図１のようにマジックテープのようなファスナー６Ａが複数設けられている。【００１０】  膝掛け布片５Ａ，５Ｂは、図２のように保温効果のある布状の部材であり、直線部にはマジックテープのようなファスナー６Ｂが複数設けられている。ファスナー６Ｂは、膝裏掛け付クッション２の側面外周に設けられたファスナー６Ａと、取り外し、接合できるようになっている。また直線部の突起部分１１Ａ，１１Ｂにもファスナー６Ｂが設けられている。【００１１】  この考案の使用方法について説明する。膝裏掛け付クッション２を広げた状態にして、側面外周に設けたファスナー６Ａと、膝掛け布片５Ａ，５Ｂに設けられているファスナー６Ｂを図３のように接合する。次に、クンション部３を椅子の座面の上に置き、両側の止め紐７Ａ，７Ｂを椅子の背もたれの根元部分にそれぞれ結び付ける。人がこれを使用する時は、図５のように椅子に座り、膝掛け布片５Ａ，５Ｂを膝の上に交互に重ねる。【００１２】  また、膝掛け布片５Ａ，５Ｂを使用しないときは、これを外して図４のように膝裏掛け付クッション２を折畳んで、両側の止め紐７Ａ，７Ｂを膝裏掛け部本体４に設けられたループ８Ａ，８Ｂにそれぞれ通して、椅子の背もたれの根元部分に結び付ければクッションとして使用することができる。
【図面の簡単な説明】
【００１３】
【図１】膝裏掛け付クッション平面図
【図２】膝掛け布片平面図
【図３】膝裏掛け付クッションセット平面図
【図４】クッションとして使用状態の膝裏掛け付クッション斜視図
【図５】本考案の膝裏掛け付クッションセット使用例
【符号の説明】
【００１４】    １                膝裏掛け付クッションセット
２                膝裏掛け付クッション
３                クッション部
４                膝裏掛け部本体
５Ａ，５Ｂ        膝掛け布片
６Ａ，６Ｂ        ファスナー
７Ａ，７Ｂ        止め紐
８Ａ，８Ｂ        ループ
９                ジッパー
１０              スライダー
１１Ａ，１１Ｂ    突起部
【図１】
0003124358.tif 000003
【図２】
0003124358.tif 000004
【図３】
0003124358.tif 000005
【図４】
0003124358.tif 000006
【図５】
0003124358.tif 000007
(57)【要約】【課題】コストと時間をあまり掛けないで表面に印刷を施した小ロットの保冷袋を迅速に提供する。【解決手段】保冷袋を製造する製袋機にパソコンと連動した熱転写式印刷機を組み込み、保冷袋表面に商品の宣伝や問合せ先など様々なことを印刷しながら保冷袋を製造する。【選択図】図１
0003124359.tif 000002
【実用新案登録請求の範囲】
【請求項１】
蓄冷用ゲルの容量１００ｇ乃至５００ｇが、その量に応じた大きさのプラスチックフイルム製の袋、約１０ｃｍ×１５ｃｍ乃至１５ｃｍ×２２ｃｍに入れてあり、袋の表面のほぼ中央に袋の大きさより一回り小さな約８ｃｍ×７ｃｍ乃至１０ｃｍ×１０ｃｍの範囲に、パソコンと連動した印刷機を組み込んだ保冷袋製造機で保冷袋製造時に文字、イラスト等を印刷しながら製造する保冷袋。
【請求項２】
保冷袋を作るためのプラスチックフイルムに、予めスペースを開けて模様や一般事項を印刷しておき、その開いたスペースに保冷袋製造時に必要事項の印刷を加えることを特徴とする請求項１記載の保冷袋。
【請求項３】
印刷機として熱転写式印刷機を組み込んだ保冷袋製造機を使用したことを特徴とする請求項１記載の保冷袋。
【考案の詳細な説明】
【技術分野】
【０００１】  プラスチックフイルム製の袋に保冷用ゲルを充填したタイプの保冷袋の表面に印刷を施した保冷袋に関する。
【背景技術】
【０００２】  保冷しなければならない食品等を買った客に商品を渡す際、断熱箱に食品と保冷材を入れて、一定時間低温を保つようにして商品を渡している。その保冷材がプラスチックフイルム製の袋に保冷用ゲルを入れたタイプのものである場合、その袋の表面に会社名、商品名、キャラクター等の宣伝に関するものや、注意書き等を印刷してあることが多い。【０００３】  その印刷は保冷袋を作る前のフイルム材料に予めグラビア印刷するので、コストを考えると大きなロットで元印刷を行わねばならなかった。従ってその在庫管理を行わねばならず、また保冷袋を作る場合も、作り始めると数万個という単位で同じものを製造しなければならなかった。さらにフイルムにグラビア印刷をするには時間が非常に掛かり、迅速な対応ができず、商品の中止、変更があった場合大きなロスが発生した。それらは全てコストに跳ね返ってきた。【０００４】  上記の方法に対して、印刷したラベルを保冷袋に貼り付ける方法も考えられるが、しかしこれは手作業で行わねばならず、当然コストアップに繋がってしまう。又保冷袋は冷凍庫に入れて使用するので表面に結露水が付着し、それによってラベルが剥がれる問題があった。
【考案の開示】
【考案が解決しようとする課題】
【０００５】  コストと時間をあまり掛けないで、袋の表面に印刷を施した小ロットの保冷袋を迅速に提供する。
【課題を解決するための手段】
【０００６】  本考案は上記の問題に鑑みてなされたものであり、保冷袋を製造する製袋機にパソコンと連動した印刷機を組み込み、保冷袋表面に商品の宣伝や問合せ先など様々なことを印刷しながら、保冷袋を製造する。【０００７】  保冷袋用の元フイルムに、予めスペースを開けて模様や一般事項を印刷しておき、その開いたスペースに保冷袋製造時に必要事項の印刷を加えても良い。
【考案の効果】
【０００８】  上記考案によれば、保冷袋製造時にパソコンと連動した印刷機で袋に印刷するので、任意の数量を、場合によっては１個ずつ異なった印刷の保冷袋でさえ提供することができる。以前のように印刷の準備に時間がかからないので迅速に注文に対応できる。
【考案を実施するための最良の形態】
【０００９】  フイルムから袋を作り、保冷用ゲルを注入して熱シールして保冷袋を作る製袋機の中に、パソコンと連動して印刷する熱転写式印刷機を組み込んでおき、パソコンに必要なデーターを入力して、印刷と保冷袋の製造を同時に行う。
【実施例】
【００１０】  本考案の保冷袋の一例を図面に基づいて説明すると、図１は本考案の保冷袋の斜視図であり、保冷用ゲル入り袋１の外寸は、縦約１４ｃｍ、横約１８ｃｍ、厚み約２ｃｍ、ゲルの内容量３００ｇである。袋の両端２は熱シールしてあり、袋の表面のほぼ中央３に約９ｃｍ×１０ｃｍの印刷が施してある。【００１１】  この保冷袋を製造する装置の概念図を図２に示してある。製袋機４の中の、袋を作るための元フイルムのロール５から繰り出されるフイルムの途中に、パソコン６と連動している熱転写式印刷機７が置かれ、フイルム面に印刷できるようになっている。【００１２】  フイルムは袋に加工され、ゲル注入部８でゲルが注入された後、熱シール部９で熱シールされて、１袋ずつ切断されて保冷袋として出来上がる。
【他の実施例】
【００１３】  図１の袋の中央３の印刷を施す部分を取り巻く周囲には、既に模様や共通の必要事項が印刷してあり、製袋機内部の印刷機は、個別の事項のみを袋の中央部に加刷してできる保冷袋。
【産業上の利用可能性】
【００１４】  以上説明したように、本考案の保冷袋によれば、保冷袋用の元フイルムに予め印刷しておく必要は無く、必要事項をパソコンに入力するだけでよいので、簡単に対応でき、表面に宣伝文や注意事項を印刷した保冷袋が小ロットで迅速に提供できる。
【図面の簡単な説明】
【００１５】
【図１】  本考案の保冷袋の斜視図
【図２】  本考案の保冷袋を製造する装置の概念図
【符号の説明】
【００１６】  １  保冷用ゲル入り袋，    ２  熱シールしてある両端，
３  製袋機内部で印刷する部分，    ４  製袋機，    ５  元フイルムのロール，
６  パソコン，    ７  熱転写式印刷機，    ８  ゲル注入部，
９  熱シール部，
【図１】
0003124359.tif 000003
【図２】
0003124359.tif 000004
(57)【要約】【課題】  この考案は、従来のコンピュータ機器の機能が低く活用して楽しむのに制限があった欠点を除いて興味あるコンピュータ機器を開発しようとするものである。【解決手段】  コントロールスイッチ（１）を操作して、太陽電池（２）及び電源（３）から供給した電力で、本体（４）に内蔵したＣＰＵをＯＳで制御し、プロジェクターレンズ（５）を通して、スクリーン（６）に映像・表・図形等を出力する。また、蓄積したデータは、メモリーカード（７）に保存する。データ通信としては、アンテナ（８）を通して無線ＬＡＮを活用する。また、インターネット接続により、送話口（９）及び受話口（１０）を使って音声・通信をする。【選択図】図１
0003124356.tif 000002
【実用新案登録請求の範囲】
【請求項１】
プロジェクター装置を設けた携帯型コンピュータ機器
【考案の詳細な説明】
【考案の詳細な説明】
【技術分野】
【０００１】  コンピュータ分野
【背景技術】
【０００２】  従来、ブラウン管及び液晶をディスプレイに使用した機器はあったが、コンピュータ機器としての機能が低く、活用して楽しむのに制限があった。
【考案の開示】
【考案が解決しようとする課題】
【０００３】  本案は、その欠点を除いて、しかも興味あるコンピュータ機器を開発しようとするものである。
【課題を解決するための手段】
【０００４】  いまその解決手段を図面を追いながら説明すれば
（イ）コントロールスイッチ（１）を操作して、太陽電池（２）及び電源（３）から供給した電力で、本体（４）に内蔵したＣＰＵ（Ｃｅｎｔｒａｌ  Ｐｒｏｃｅｓｓｉｎｇ  Ｕｎｉｔ；中央演算装置）をＯＳ（Ｏｐｅｒａｔｉｎｇ  Ｓｙｓｔｅｍ；制御ソフト）で制御する。
（ロ）プロジェクターレンズ（５）を通して、スクリーン（６）にディスプレイとして映像・表・図形等を出力する。また蓄積したデータは、メモリーカード（７）に保存する。
（ハ）データ通信としては、アンテナ（８）を通して無線ＬＡＮ（Ｌｏｃａｌ  Ａｒｅａ  Ｎｅｔｗｏｒｋ）を活用する。また、インターネット接続により送話口（９）及び受話口（１０）を使って音声通信をする。
【考案の効果】
【０００５】  本案は、以上のような構造であるから、これを使用する事により、美しい映像と鮮明な表示を再現するものであり、したがって、創造性のあるソフトの使用により楽しく、興味あるコンピュータ機器である。
【考案を実施するための最良の形態】
【実施例】
【０００６】  なお、本案の実施にあたって次の如きことができる。
（イ）プロジェクターレンズ（５）を含むプロジェクター機能を本体（４）から切り離し、無線ＬＡＮ接続により使用する事ができる。
【図面の簡単な説明】
【０００７】
【図１】  本考案のスクリーン及びコンピュータ機器の正面図
【符号の説明】
【０００８】（１）コントロールスイッチ  （２）太陽電池  （３）電源
（４）本体  （５）プロジェクターレンズ  （６）スクリーン
（７）メモリーカード  （８）アンテナ  （９）送話口  （１０）受話口
【図１】
0003124356.tif 000003
(57)【要約】【課題】栽培時には安価なプラスチック鉢を使用し、出荷時や展示会前に高級鉢内にプラスチック鉢をはめ込むことにより「植物の痛み」と「植え替えの労力」を大幅に軽減することを課題とする。【解決手段】上の課題を解決するために、植物育成用のプラスチック鉢の途中を上a、下bに切断した形状にして、上部aの内側に、下部bを挿入することにより、上a、下bの分離と再結合を可能にした。また、鉢の上下が重なる部分又はその真上、真下部分に膨らみや凹み、突起や穴、ネジ状の溝、段差等を設けることにより、上a、下b部分の固定が可能となった。【選択図】図4
0003124352.tif 000002
【実用新案登録請求の範囲】
【請求項１】
上広底狭の植物育成用の鉢の途中を上部a、下部bに切断し、又は切断したものと類似形に作り、直径の大きい上部aの内側に、直径の小さい下部bを挿入した場合、鉢の厚みがあるため、必ず途中に重なる部分ができ、下部bは上部aから下には抜け出せない。本考案はこの原理を応用することにより、上下２部分に分離ができ、必要時には再結合を可能とした植物育成用の鉢である。
【請求項２】
上記の原理により、上下の分離と再結合を可能とした鉢において、上下の重なる部分又はその真上、真下部分に膨らみや凹み、突起や穴、ネジ状の溝、段差等を設けることにより、上部a、下部bを固定する構造の鉢である。
【考案の詳細な説明】
【技術分野】
【０００１】
この考案は必要に応じて、上下２部分に分離ができ、また再結合・固定が可能な植物育成用の鉢の形状及び構造に関するものである。
【背景技術】
【０００２】
従来から、一般園芸において、栽培時にはプラスチック鉢で育て、出荷時にその鉢を高級鉢内にはめ込む方法は存在したが、東洋蘭専用鉢の場合は上部に大きいリング状の「縁」(二本の水平な棒で挟んで、吊り下げられる形状に作られている)が付けられているため、高級鉢の上部にプラスチック鉢の「縁」がはみ出し、美観を損ねるという大きな欠点があったため、実際には実施されることはなかった。
【考案の開示】
【考案が解決しようとする課題】
【０００３】
従来の東洋蘭栽培用の鉢は信楽焼(焼き物の一種)等の高級な鉢であったが、最近は安価で通気穴もあり栽培安易なプラスチック製の鉢が多用されるようになっている。しかしプラスチック鉢は高級感や品格の点では劣るため、販売時や展示会直前には高級鉢に植え替える必要があった。そこで、この考案では特殊構造のプラスチック鉢を使用して育成し、販売時や展示会直前に高級鉢の内側に本考案の鉢の一部分(下部b)のみをはめ込む方法により、「植物の植え痛み」と「植え替え時の労力」を極度に軽減すると共に、「構造や操作が簡単」で「美的にも美しい」形状にすることを課題とする。
【課題を解決するための手段】
【０００４】
以上の課題を解決するために、第一考案は、上広底狭の植物育成用の鉢の途中を図１のように上部a、下部bに切断した様な形状とし、図２のように上部a内に下部bを、上から挿入することにより、上下の分離と再結合を可能にした植物育成用の鉢である。
また、第二考案は、図３、図５、図６のように、鉢の上下が重なる部分又はその真上、真下部分に膨らみや凹み、突起や穴、ネジ状の溝、段差等を設けることにより、上部aの落下を防ぐと共に、上部aと下部bを固定できる構造としたものである。
【考案の効果】
【０００５】
本考案の鉢では上部a、下部bが分離、再結合・固定が可能のため、栽培時は上部a、下部bを結合させた鉢(プラスチック製)で育て、出荷販売時や展示会直前には上部aを分離して、図７のように下部bのみを高級鉢内に直接はめ込むことにより、「美的にも優れる」と共に「植え替えによる植物の痛み」と「植え替え時の労力」を極度に軽減することが可能となった。
【考案を実施するための最良の形態】
【０００６】
この考案の一実施形態を、図３、図4に示す。従来のプラスチック製の鉢の途中を上部a、下部bに切断したような形状にして、上部aの内側に、下部bを上から挿入して使用する。また上部a、下部bの重なりの直ぐ上で、上部aの内部周辺上に細長い「膨らみ」部分を設けることにより、下部bがその「膨らみ」に引っかかり、上部aと下部bが固定される。上部aと下部bを分離したい時には下部bを指で押さえてへこませると簡単に取り外すことが可能である。
【０００７】
「実施形態の効果」
この実施形態によれば、鉢の内周部に、わずかな「膨らみ」をつけるだけで分離と再結合・固定が可能となり、美感も損なわず、構造も簡単で細工もしやすいという利点がある。
また、下部bの側面を押しながら、下部bを上方に押し上げると、簡単に下部bから上部aを分離できるので、出荷や展示会前の短時間の中で下部bだけを高級鉢内部にはめ込むことができる。
【０００８】
「他の実施形態」
上部a、下部bの他の固定方法として、上下の重なる部分又はその真上、真下部分に段差(図5)、突起や穴(図6)、ネジ状の溝等を設けることによっても、上部aと下部bを固定することが可能である。取り外しの簡単さで、部分的に膨らみをつける図3、図4の方法が最も優れている。
【産業上の利用可能性】
【０００９】
東洋蘭栽培場等での展示や出荷時の労力軽減に大いに寄与すると思われる。
また本考案を利用すると、必要に応じて１つの鉢で「浅鉢と深鉢」というように二種類に使い分けることも可能である。
【図面の簡単な説明】
【００１０】
【図１】本考案の原理を示す正面図
【図２】本考案の原理を示す断面図
【図３】本考案の一実施形態を示す断面図
【図４】本考案の一実施形態を示す斜視図
【図５】他の実施形態の例を示す断面図
【図６】他の実施形態の例を示す断面図
【図７】東洋蘭栽培における実施例の説明図
【符号の説明】
【００１１】
a：上部
b：下部
c：切断部分
ｄ：重なり部分
ｅ：膨らみ部分
ｆ：段差部分
ｇ：突起
ｈ：凹み又は穴 (ｇ、ｈは逆でも良い) 
ｉ：高級鉢
【図１】
0003124352.tif 000003
【図２】
0003124352.tif 000004
【図３】
0003124352.tif 000005
【図４】
0003124352.tif 000006
【図５】
0003124352.tif 000007
【図６】
0003124352.tif 000008
【図７】
0003124352.tif 000009
【手続補正書】
【提出日】平成18年6月8日(2006.6.8)
【手続補正１】
【補正対象書類名】実用新案登録請求の範囲
【補正対象項目名】全文
【補正方法】変更
【補正の内容】
【実用新案登録請求の範囲】
【請求項１】
上広底狭の鉢の途中を上部ａ、下部ｂに切断し、又は切断したものと類似した形状に製造し、直径の大きい上部ａの内側に直径の小さい下部ｂを挿入して、部分的に重ならせることにより、上部ａと下部ｂを結合させるという構造を有する植物育成用の鉢。
【請求項２】
上部ａと下部ｂの重なる部分又はその真上、真下部分に膨らみや凹み、突起や穴、ネジ状の溝、段差等を設けることにより、上部ａと下部ｂを結合状態のままで固定できるという構造を有する請求項１に記載の鉢。
(57)【要約】      （修正有）【課題】粒子状物質の大気放出を低減し、燃焼ガス中に含まれる粒子状物質を低減可能な燃焼ガス内粒子状物質低減装置を提供する。【解決手段】燃焼ガス中に含まれる粒子状物質（残留炭素等）の除去方式を、遠心分離翼を利用する。遠心分離翼は、回転翼１と回転軸２と軸受３と燃焼ガス入口１３とを備える。燃焼ガス入口１３によって導かれた燃焼ガス１５は、回転翼１によって遠心力を受け、燃焼ガス１５中の粒子状物質１６を、回転翼蓋７の内面に押しつける。回転翼１によって分離された粒子状物質１６は貯蔵槽６に向かって移動し、貯蔵される。【選択図】図１
0003124360.tif 000002
【実用新案登録請求の範囲】
【請求項１】
燃焼ガス中に含まれる粒子状物質低減装置において、粒子状物質の除去に遠心分離翼を利用し、且つ貯蔵することを特徴とする燃焼ガス内粒子状物質低減装置。
【考案の詳細な説明】
【考案の詳細な説明】
【技術分野】
【０００１】本考案は、遠心分離器に関する。
【背景技術】
【０００２】ろ過材に依る除去が知られている。
【考案が解決しようとする課題】
【０００３】燃焼ガス中に含まれる粒子状物質（残留炭素等）が大気中に放出されることに依り地球環境の悪化が促進される。
【課題を解決するための手段】
【０００４】本考案は、燃焼ガス中に含まれる粒子状物質（残留炭素等）の除去に遠心分離方式を利用し、大気中への放出を阻止する。
【実施例】
【０００５】この考案は、遠心分離翼（遠心力）を利用して、燃焼ガス中に含まれる粒子状物質を除去・貯蔵するものであって、その構成を図示の実施例について説明すれば、▲１▼は回転翼、▲２▼は回転軸、▲３▼は軸受を示す。▲１３▼によって導かれた▲１５▼は▲１▼によって遠心力を受け、▲１５▼中の▲１６▼を▲７▼の内面に押しつける。▲１▼によって分離された▲１６▼は、自重及び▲７▼の本体振動により▲５▼を通って▲６▼に向かって移動し、貯蔵される。▲１６▼を除去された▲１７▼は、▲１４▼より外部に放出される。なお、図中▲４▼はシール材、▲８▼は分離板蓋、▲９▼は分離板、▲１０▼は取付金物、▲１１▼は貯蔵槽着・脱金物、▲１２▼は本体取付脚を示す。
【考案の効果】
【０００６】本考案に係る遠心分離翼による燃焼ガス中に含まれる粒子状物質（残留炭素等）の分離は、従来のろ過方式のものに比べ連続して排出される燃焼ガス中の粒子状物質を有効、且つ効果的に分離・貯蔵するため、従来のろ過方式（連続して除去するため、目詰まり等に依り、性能が不安定）に比べ除去効果が安定している。
【図面の簡単な説明】
【図１】図面は、この考案の一実施例を示したもので、全体組立断面図である。
【符号の説明】
▲１▼・・・回転翼▲２▼・・・回転軸▲３▼・・・軸受▲４▼・・・シール材▲５▼・・・連絡筒▲６▼・・・貯蔵槽▲７▼・・・回転翼蓋▲８▼・・・分離板蓋▲９▼・・・分離板▲１０▼・・・取付金物▲１１▼・・・貯蔵槽着・脱金物▲１２▼・・・本体取付脚▲１３▼・・・燃焼ガス入口▲１４▼・・・燃焼ガス出口▲１５▼・・・燃焼ガス▲１６▼・・・粒子状物質▲１７▼・・・分離後燃焼ガス流
【図１】
0003124360.tif 000003
(57)【要約】【課題】製造工程で起きた接触熱抵抗によって放熱効果を低下させる問題を解決した半導体素子パッケージの筐体を提供する。【解決手段】銅、鉄、タングステン、モリブデン、アルミニウム、インジウム、ガリウムなどのいずれの金属粉末およびその合金を原料とする。金属粉末射出成形法により金属粉末射出成形法により一体成形される放熱板４０の上方に形成される固定台４１および保護カバー４２からなるパッケージの筐体構造４である。しかも保護カバー４２を固定台４１を囲むようなアーク型にして、これによってレザーダイオードチップのような半導体素子を保護する。そのうえ半導体素子を取り付けるための切り欠部も設けている。そのほか、前記パッケージの筐体の構造は高性能電子素子および発光素子などのパッケージに使用することが可能である。【選択図】図３
0003124294.tif 000002
【実用新案登録請求の範囲】
【請求項１】
半導体素子パッケージの筐体であって、金属粉末射出成形法により一体成形される放熱板の上方に形成される固定台および保護カバーを備え、
前記保護カバーは、固定台を囲むアーク型に形成され、取り付けるための切り欠部が設けられていることを特徴とする半導体素子パッケージの筐体。
【請求項２】
前記金属粉末の原料は銅、鉄、タングステン、モリブデン、アルミニウム、インジウム、ガリウムのいずれかの金属粉末およびその合金であることを特徴とする請求項１記載の半導体素子パッケージの筐体。
【請求項３】
レザーダイオードパッケージに使用されることを特徴とする請求項１記載の半導体素子パッケージの筐体。
【請求項４】
高性能の電子素子パッケージに使用されることを特徴とする請求項１記載の半導体素子パッケージの筐体。
【請求項５】
発光素子パッケージに使用されることを特徴とする請求項１記載の半導体素子パッケージの筐体。
【考案の詳細な説明】
【技術分野】
【０００１】
本考案は、半導体素子パッケージの筐体に関し、特に金属粉末射出成形法により一体成形される設計に関する。
【背景技術】
【０００２】
半導体素子パッケージの構造に対し、その放熱性を考慮しなければならない。図１、図２に示すように、レザーダイオードパッケージの構造を例として説明する。これは放熱板１０（ｈｅａｔ  ｓｉｎｋ）の上方に形成された固定台１１（ｍｏｕｎｔ）からなり、レザーダイオードチップを前記固定台１１に設置させ、さらにレザーダイオードチップが外力によって損傷を受けることを防ぐためにキャップ３０によりパッケージを封止する。その中放熱板によってレザーダイオードが作動の間に上昇された温度を下げることで、レザーダイオードの正常な作動を確保する。
【考案の開示】
【考案が解決しようとする課題】
【０００３】
伝統的なレザーダイオードの放熱板１０および固定台１１はそれぞれプレスパンチプレスによる加工された後、溶接によって接合されるために放熱板１０と固定台１１の間に放熱効果を低下させる接触熱抵抗が生じるほか、溶接工程も不可欠となる。
【０００４】
したがって本考案の主な目的は、従来の製造工程で起きた接触熱抵抗によって放熱効果を低下させる問題を解決することにあり、しかも放熱効率を向上させる効果を有することにある。
本考案のもうひとつの目的は、溶接工程を減らす効果を有することにある。
【課題を解決するための手段】
【０００５】
上述の目的を達成するために本考案の請求項に記載の半導体素子パッケージの筐体は、銅、鉄、タングステン、モリブデン、アルミニウム、インジウム、ガリウムなどのいずれの金属粉末およびその合金を原料として、金属粉末射出成形法により一体成形され、放熱板の上方に形成される固定台および保護カバーからなるパッケージの筐体構造である。保護カバーは固定台を囲むようなアーク型にして、これによってレザーダイオードチップのような半導体素子を保護する。そのうえ半導体素子を取り付けるための切り欠部も設けられている。
【０００６】
ここにおいて一体成形の製作方法をもって、従来各部品間の接合に必要とされる溶接工程が不要となることによって、接合部間を介在する接触熱抵抗が生じるのを免れることになる。
【考案を実施するための最良の形態】
【０００７】
以下、本考案の実施例を図面に基づいて説明する。
図３及び図４に示すように、本考案の実施例による半導体素子パッケージの筐体は、銅、鉄、タングステン、モリブデン、アルミニウム、インジウム、ガリウムなどのいずれの金属粉末およびその合金を原料とする。金属粉末射出成形法により金属粉末射出成形法により一体成形される放熱板４０の上方に形成される固定台４１および保護カバー４２からなるパッケージの筐体構造４である。しかも前記保護カバー４２を固定台４１を囲むようなアーク型にして、これによってレザーダイオードチップのような半導体素子を保護する。そのうえ半導体素子を取り付けるための切り欠部も設けている。そのほか、前記パッケージの筐体の構造は高性能電子素子および発光素子などのパッケージに使用することが可能である。
【０００８】
上述のように、本実施例によるパッケージの筐体の構造は一体成形方法によって製作されるものであるため、各部品間の接合工程をなくし、製造工程を減らす効果があるばかりでなく、放熱板と固定台の間に伝統的構造により生じる接触熱抵抗が完全になくなり、放熱効率を向上する効果もある。そして、異なる金属粉末を選択して使用するかその合金の比率を調整することにより、構造の熱膨張率をすぐに変えられるので、製品ごとに異なるニーズをすべて満足させることが可能である。これらの理由により本考案は放熱効率を向上する効果および製造工程を減らす効果を有するものとなる。
【０００９】
以上述べたところを総合すれば、本実施例に掲示された構造は昔からまったくないものとして、予想した効果を達成し、しかも産業利用に供えることも可能で、新しいタイプの要件を完全に満たしている。イノベーションを促進するためには、ご審議の上権利を付与してくださるよう切にお願いし、これに対して心から感謝を申し上げる。
ただし、上述に示された図、説明は、ただ本考案の比較的よい実施例とするものだけである。およそこのテクニックに熟知する方々が、本案の主旨に沿ってその範疇内で行った付け加え或いは等価となるような変更は、依然として本考案の申請範囲に含まれるべきである。
【図面の簡単な説明】
【００１０】
【図１】一般のレザーダイオードの構造を示す外観図である。
【図２】一般のレザーダイオードの構造を示す断面図である。
【図３】本考案の実施例による半導体素子パッケージの筐体の構造を示す外観図である。
【図４】本考案の実施例による半導体素子パッケージの筐体の構造を示す断面図である。
【符号の説明】
【００１１】
４  パッケージの筐体構造、１０  放熱板、１１  固定台、２０  レザーダイオードチップ、３０  キャップ４０  放熱板、４１  固定台、４２  保護カバー、４２１  切り欠部
【図１】
0003124294.tif 000003
【図２】
0003124294.tif 000004
【図３】
0003124294.tif 000005
【図４】
0003124294.tif 000006
(57)【要約】【課題】容器本体の開口部を完全に密封することができ、併せて外蓋の内側に配するシート状の内蓋を、写真や絵画等の表示媒体として利用することができるようにする。【解決手段】平面四角形の箱形容器本体１の開口部１ａを、該容器本体１の側壁上部に延設した外蓋２をもって開閉自在に覆うようになした包装容器である。前記外蓋２の内側にシート状の内蓋３を配し、該内蓋３の一側縁部を外蓋２の基部に接続する。【選択図】図１
0003124298.tif 000002
【実用新案登録請求の範囲】
【請求項１】
平面四角形の箱形容器本体の開口部を、該容器本体の側壁上部に延設した外蓋をもって開閉自在に覆うようになした包装容器において、前記外蓋の内側にシート状の内蓋を配し、該内蓋の一側縁部を外蓋の基部に接続してなることを特徴とする包装容器。
【考案の詳細な説明】
【技術分野】
【０００１】
本考案は、薫香等を包装するに適した包装容器に関するものである。
【背景技術】
【０００２】
薫りを楽しむ薫香は、従来箱形の包装容器に収められて販売されている。そして該従来の包装容器は、平面四角形の箱形容器本体の開口部を、該容器本体の側壁上部に延設した外蓋をもって開閉自在に覆うようになしたものである。
【０００３】
しかし、斯かる従来の包装容器には、次の如きいくつかの問題点がある。
（１）容器本体の開口部は外蓋で覆われているものの完全な密封はできないから、空気が流通することになる。そしてこの結果、湿度の高い６〜７月の梅雨の時期には、内部に収容した薫香が湿気を帯びて、着火や燃焼に不都合を生じ、また反対に湿度が低い冬期等にあっては薫香が乾燥し過ぎることになる。そしてまたこれにより、品質の劣化が早く、良品質における長期間の保管が困難であるという問題がある。
（２）上記（１）の通り容器本体の開口部の完全な密封ができないことから、使用しない保管時において薫香の薫りが容器外に自然に漏れ出てしまうことである。薫香から発せられる薫りは心地よい薫りではあるが、時には薫りがしない方が良い場合もある。また、薫り成分が異なる複数の種類の薫香を一緒に保管するとき、夫々の薫りがミックスされることになり、好ましい薫りとなる場合もあるが、逆にそうでない場合もある。
【考案の開示】
【考案が解決しようとする課題】
【０００４】
本考案は上記の点に鑑みなされたものであって、外蓋の内側にシート状の内蓋を配することによって、容器本体の開口部の完全な密封を行うことができるようになし、もって上記従来の包装容器の問題点を悉く解消し、併せてシート状の内蓋を写真や絵画等の表示媒体として利用することにより、外蓋を開いたときに、それらによる情報によって内容物の高級感や上品な感じを醸し出すことができるようになした包装容器を提供せんとするものである。
【課題を解決するための手段】
【０００５】
而して、本考案の要旨とするところは、平面四角形の箱形容器本体の開口部を、該容器本体の側壁上部に延設した外蓋をもって開閉自在に覆うようになした包装容器において、前記外蓋の内側にシート状の内蓋を配し、該内蓋の一側縁部を外蓋の基部に接続してなることを特徴とする包装容器にある。
【考案の効果】
【０００６】
本考案は上記の如き構成であり、外蓋の内側にシート状の内蓋を配してなるものであるから、容器本体の開口部を外蓋と内蓋とで二重に封止することになり、完全な密封を行うことができるものである。そしてまた、これにより上記従来の問題点を悉く解消することができるものである。
【０００７】
また、シート状の内蓋を写真や絵画等の表示媒体として利用することにより、外蓋を開いたときに、それらによる情報によって内容物の高級感や上品な感じを醸し出すことができるものである。
【考案を実施するための最良の形態】
【０００８】
本考案を実施するための最良の形態は、外箱の内側にシート状の内蓋を配し、該内蓋の一側縁部を外蓋の基部に接続することにある。
【実施例】
【０００９】
以下、本考案の実施例について説明する。
図１は本考案の実施例に係る包装容器の蓋を開いた状態の斜視図、図２は蓋を閉じた状態の中央縦断面図である。
【００１０】
図中、１は平面四角形の箱形容器本体であり、厚紙を折り畳むことによって成形している。また、該容器本体１は薫香（図示せず。）を収容するものである。２は前記容器本体１の開口部１ａを開閉自在に覆う外蓋であり、前記容器本体１の側壁の上部に延設したものである。また、該外蓋２はヒンジ部２ａをもって内外方向に回動自在とされている。
【００１１】
３は前記外蓋２の内側に配したシート状の内蓋であり、その一側縁部を前記外蓋２の基部に接続している。また、該内蓋３は、その基部の接続部分において外蓋２に対して内外方向回動自在とされている。また、該内蓋３は、本実施例では腰のある紙を用いているが、樹脂製のシートを用いるようにしてもよい。そしてまた、該内蓋３は写真や絵画等の表示媒体としても利用することができるものであり、本実施例では、梅を写した写真を内蓋３と外蓋２とに跨がるように表示している。
【００１２】
上記実施例の作用について説明すると、図２に示す如く、容器本体１の開口部１ａを蓋で閉じたときに、外蓋２と内蓋３とで二重に封止することになり、完全な密封を行うことができるものである。また、シート状の内蓋３を写真や絵画等の表示媒体として利用することにより、外蓋２を開いたときに、それらによる情報によって内容物の高級感や上品な感じを醸し出すことができるものである。
【図面の簡単な説明】
【００１３】
【図１】本考案の実施例に係る包装容器の蓋を開いた状態の斜視図である。
【図２】蓋を閉じた状態の中央縦断面図である。
【符号の説明】
【００１４】
１  容器本体
１ａ  開口部
２  外蓋
２ａ  ヒンジ部
３  内蓋
【図１】
0003124298.tif 000003
【図２】
0003124298.tif 000004
(57)【要約】【課題】本考案は、雨水会所の水溜りで産卵孵化し、外部に飛散してウエストナイル熱病等の媒体となる蚊の発生を物理的に防止するものである。【解決手段】耐蝕性の管材を適宜裁断して、それぞれ密閉式の継手を用いて所望の寸法の枠を構成して枠全体に浮力を生ぜしめ、該枠に複数の支持脚により上部に防虫ネットを装着し、雨水会所内に敷設することにより、常に防虫ネットが水面上部にあって蚊の産卵及び孵化した成虫の飛散を防止する。【選択図】図１
0003124285.tif 000002
【実用新案登録請求の範囲】
【請求項１】
管状の部材を適宜裁断して密閉型継手により、各々接着、嵌合して所望の寸法の枠を構成し、それぞれ両端の密閉型継手で管内の空気を密閉して、それぞれを気密容器として枠全体に浮力を生ぜしめ、複数の支持脚により上部に防虫ネットを装着、一体化して雨水会所内に投入し、水面近くに浮遊させることにより枠上部の防虫ネットが常に水面上位にあって、蚊の産卵及び蚊の成虫の飛散を防止することを特徴とする雨水会所用防蚊網。
【請求項２】
適宜裁断した管状の部材の継手を通気管型とし、各々接着、嵌合して所望の寸法に構成した枠を１個の気密容器としたことを特徴とする請求項１記載の雨水会所用防蚊網。
【考案の詳細な説明】
【技術分野】
【０００１】
本考案は、雨水会所等の水溜りで産卵、孵化する蚊の発生を防止する防蚊網に関するものである。
【背景技術】
【０００２】
従来、雨水会所等で産卵、孵化する蚊の発生を防止する物理的な防蚊網は無い。化学的な殺虫剤としては、例えば三井製薬株式会社製の商品名ハイカプシン粒剤が知られているが、業務用で一般には市販していない。
【考案の開示】
【考案が解決しようとする課題】
【０００３】
公共道路脇、公園、集合住宅の敷地等至る所に敷設される雨水会所等の水溜りで発生するヤブカ、アカイエカ、チカイエカはウェストナイル熱病等の媒体である。
【０００４】
該水溜まりの数は、全国規模では天文学的数字である。
【０００５】
殺虫剤の投入は、前記ハイカプシン粒剤があるが業者に依頼する必要があり、集合住宅を例にすると、標準的な５階建ての建物の団地で、薬剤費のみでも年間、敷地面積１，０００ｍ２あたり５，０００円前後と経済的負担が大きい。
【０００６】
雨水会所の蓋は、おおむね、大型車両の通過にも耐えるコンクリート製及び鋳鉄製であり取外しに巻き上げ機及び特殊工具を要し、取外しが困難で労働的負担が大きい。本考案は前述の課題を解決しようとするものである。
【課題を解決するための手段】
【０００７】
本考案は、浮力を持ち長さを自在に調節して枠を組立て、支持脚を介して所望の寸法に裁断した防虫ネットを枠と一体化して、雨水会所用防蚊網とする。
【０００８】
雨水会所の新設時、及び新設後でも一旦蓋を外して該防蚊網を雨水会所内に投入し蓋を敷設すれば、浮力を持った枠に支持脚で一体化した防虫ネットが常に水面上位にあり、防虫ネットが蚊の産卵及び万一産卵がなされ幼虫のボウフラが孵化し成虫が発生しても外部への飛散を防止する。
【考案の効果】
【０００９】
上述のように、防虫ネットは水位の変動と共に常に水面上位に浮き、蚊の成虫が産卵の為に該防蚊網に飛来しても水面との間隙の為産卵が出来ず、万一幼虫のボウフラが孵化し成虫になっても防虫ネットの為外部に飛散ができない。
【００１０】
該防蚊網は、耐蝕性の素材で構成されているので、老化による効果の減少が無く、薬剤の投与とは異なり永久的に防蚊の威力を発揮する。
【考案を実施するための最良の形態】
【００１１】
本考案は、請求項１に記載したように、管材を適宜裁断して密閉型継手を用いて接着、嵌合して所望の寸法に枠を構成し、管材内の空気を密閉することで枠全体に複数の空気室を設けて浮力を生じせしめる。
【００１２】
枠に、複数の支持脚を用いて上部に雨水会所の水平断面形状と等しく裁断した防虫ネットを装着して、雨水会所用防蚊網とする。
【００１３】
雨水会所の蓋が無い状態で、該防蚊網を投入して蓋を敷設すると、該防蚊網は枠の浮力により浮遊し、防虫ネットは水位の変動に関わらず常に水面上位にあり、蚊の産卵管が届かず産卵ができない。
【００１４】
万が一、ボウフラが孵化し成虫になっても、防虫ネットが外部への飛散を防ぐ。
【実施例】
【００１５】
以下、添付図面に従い一実施例を説明する。１は雨水会所用防蚊網で耐蝕性の適正素材で構成されている、１ｂは断面長方形の管材である。管材１ｂを１ａ継手の１ｃ挿入口に接着剤を塗布して挿入、嵌合して全体を雨水会所の水平断面に合わせ、平面正方形の枠を構成している。
【００１６】
２は支持脚で下部は継手１ａの外形に合わせた形状をなし、２ｂ蝶番で継手１ａを抱え、２ｄ小ネジで継手１ａと締結する。    
【００１７】
支持脚２は、それぞれ上部に略Ｌ字型の平板を有し、雨水会所の内寸に等しく裁断した３防虫ネットを上に乗せ、２ａ押さえ板と２ｅ孔を貫通して複数の２ｃ小ネジで防虫ネット３をそれぞれ緊張固定している。
【００１８】
本考案の一実施例は、上述のような構成になるものであるから、雨水会所の蓋の無い時点で、雨水会所内に投入、蓋をすると８水面の変動にかかわらず、枠１の浮力により、防虫ネット３は常に水面８の上位にあり、蚊の産卵及び孵化した成虫の飛散が不可能である。
【００１９】
なお、４は雨水会所、５は会所蓋、６は雨水の流入管、７はオーバーフロー管を示す。
【図面の簡単な説明】
【００２０】
【図１】本考案の雨水会所用防蚊網の実施例を示す略断面図である。
【図２】本雨水会所用防蚊網の実施例を示す図１のＡ−Ａ線平面図である。
【図３】本雨水会所用防蚊網の実施例を示す図２のＢ−Ｂ線部分断面図である。
【図４】本雨水会所用防蚊網の実施例を示す図２のＣ−Ｃ線部分断面図である。
【図５】本雨水会所用防蚊網の継手１ａの水平断面図である。
【図６】本雨水会所用防蚊網の継手１ａの測面図である。
【図７】本雨水会所用防蚊網の押さえ板２ａの平面図である。
【符号の説明】
【００２１】
１    雨水会所用防蚊網
２    支持脚
３    防虫ネット
４    雨水会所
【図１】
0003124285.tif 000003
【図２】
0003124285.tif 000004
【図３】
0003124285.tif 000005
【図４】
0003124285.tif 000006
【図５】
0003124285.tif 000007
【図６】
0003124285.tif 000008
【図７】
0003124285.tif 000009
(57)【要約】      （修正有）【課題】ゴルフ場において、危険球の打ち込みを他のパーティに知らせる危険球警告装置を提供する。【解決手段】送信機２２からの無線作動信号を受信する受信機１２と、危険球の打込みを知らせる警告音を記憶した音声記憶部１６と、記憶された警告音を、増幅回路１７を介して、外部に発するスピーカー１８と、を備えたティーマーク１０。受信機１２が無線作動信号を受信すると、スピーカー１８から警告音を発して、危険球の警告を行う。ティーマーク１０にこのような警告機能を設ける他にも、プレイヤー等が乗車するカートや、スルーザグリーンにおける距離表示具に、同様の警告機能をもたせることが可能である。【選択図】図３
0003124279.tif 000002
【実用新案登録請求の範囲】
【請求項１】
送信機（２２）からの無線作動信号を受信する受信機（１２）と、
危険球の打込みを知らせる警告音を記憶した音声記憶部（１６）と、
記憶された警告音を、増幅回路（１７）を介して、外部に発するスピーカー（１８）と、を備えていて、
受信機（１２）が無線作動信号を受信すると、スピーカー（１８）から警告音を発することを特徴とする、ティーマーク。
【請求項２】
送信機からの作動信号を受信する受信機と、
危険球の打込みを知らせる警告音を記憶した音声記憶部と、
記憶された警告音を、増幅回路を介して、外部に発するスピーカーと、を備えていて、
受信機が作動信号を受信すると、スピーカーから警告音を発することを特徴とする、危険球警告装置。
【考案の詳細な説明】
【技術分野】
【０００１】
本考案は、ゴルフプレイ中における危険球の打ち込みを知らせる危険球警告装置に関する。さらに詳しくは、そのような機能を備えたティーマークに関する。
【背景技術】
【０００２】
ゴルフ場でのゴルフプレイ中において、同一ホールを回る先行パーティ、あるいは隣接するホールを回る他のパーティに向けて危険球を打ち込んでしまった場合、プレイヤーやキャディが「フォアー」と大声で叫んで、危険を知らせている。
【考案の開示】
【考案が解決しようとする課題】
【０００３】
しかしながら、人間がそのような大声を出すのは負担が大きいし、大声を出せる回数には限界がある。また、叫び声が小さい場合には危険球を知らせることができずに事故が生じることもある。
【課題を解決するための手段】
【０００４】
本考案は、上記問題を有効に解決すべく創案されたものであって、以下の特徴を備えたティーマークを提供する。
【０００５】
本考案のティーマークは、「送信機からの無線作動信号を受信する受信機」と「危険球の打込みを知らせる警告音を記憶した音声記憶部」と「記憶された警告音を、増幅回路を介して、外部に発するスピーカー」とを備える。受信機が無線作動信号を受信すると、スピーカーから警告音を発して、危険球を警告する。
【０００６】
また、本考案においては、上記と同様の機能を備えた危険球警告装置を乗車カートに設置したり、スルーザグリーンにおける距離表示具として構成したり、あるいはゴルフ場内の適当な構造物に内蔵することも可能である。
その場合、送信機から受信機への作動信号の送信は、無線で行っても、有線で行ってもよい。
【考案の効果】
【０００７】
本考案においては、人間の声ではなく、記憶した警告音をスピーカーから発声することで、危険球の打ち込みを警告する。したがって、人間が大声で叫ぶという負担がなくなり、また、常に安定した音量で危険球を警告できる。
【考案を実施するための最良の形態】
【０００８】
本考案の実施形態を添付の図面を参照して、以下に説明する。図１は、ティーグラウンドに設置された本考案のティーマーク１０を示す説明図である。また、図２は、ティーマーク１０およびこれを操作するリモコン２０を示す断面図である。
【０００９】
「ティーマーク」とは、ゴルフ場の各ホールにおいて第１打を打つティーグラウンドの両側に設置されるもので、プレイヤーは、ティーマーク間のいずれかの位置にボールをセットして第１打を打つ（図１）。
【００１０】
ティーマーク１０は、危険球の打ち込みを知らせる警告機能を備えていて、リモコン２０を用いて遠隔操作される。図３は、これを説明する機能ブロック図である。
【００１１】
リモコン２０は、送信機２２を備えていて、スイッチ２１を押すと、作動信号をティーマーク１０に向けて無線送信する。
ティーマーク１０は、作動信号を受信する受信機１２を備える。一方、受信機１２に接続された基板１５には、警告音を記憶した音声記憶部１６および増幅回路１７が設けられている。受信機１２が作動信号を受信すると、音声記憶部１６に記憶された警告音が増幅回路１７で増幅された上で、スピーカー１８から発声される。
【００１２】
音声記憶部１６に記憶された「警告音」は、危険球の打ち込みを知らせるものである。したがって、「フォアー」という叫び声を記憶しておくことが好ましいが、他の警告音であってもよい。
また、スピーカー１８からの発声音量は、９０ｄＢ程度に設定することが好ましい。この音量は、「大声による独唱」または「騒々しい工場内」程度の音量である。勿論、必要に応じて適宜の発声音量に設定することが可能である。
【００１３】
図示のティーマーク１０は、切頭円柱形状で、傾斜した天面にスピーカー１８を備えている。しかし、ティーマークの外観形状は、例えばゴルフボールを模したもの等、任意の形態を採用することが可能である。
【００１４】
≪他の実施形態≫
図示の例ではティーマークに危険球警告機能を備えているが、本考案では、これ以外にも、例えば次のようなものを危険球警告装置とすることができる。
（１）プレイヤーやキャディが乗車するカートに危険球警告装置を設置する。
（２）スルーザグリーンにおいて、ピンあるいはグリーンまでの距離表示具（例えば、ポール、表示板、樹木等）に危険球警告機能を備える。
（３）その他の適当な構造物に危険球警告機能を備える。
【００１５】
これらの実施形態においても、危険球警告のための具体的機構は、図示して説明したものと同じである。ただし、危険球警告装置の操作は、無線操作に限定されない。例えば、カートに危険球警告装置を設置する場合には、同カートの車体にスイッチを設けることができるが、その場合には、危険球警告装置とスイッチとを有線で繋ぐこともできる。
【図面の簡単な説明】
【００１６】
【図１】本考案の一実施形態に係るティーマークを示す説明図。
【図２】図１のティーマークおよびこれを操作するリモコンを示す断面図。
【図３】図２のティーマークおよびリモコンの機能ブロック図。
【符号の説明】
【００１７】
１０  ティーマーク
１２  受信機
１５  基板
１６  音声記憶部
１７  増幅回路
１８  スピーカー
２０  リモコン
２１  操作スイッチ
２２  送信機
【図１】
0003124279.tif 000003
【図２】
0003124279.tif 000004
【図３】
0003124279.tif 000005